(57)【要約】【課題】携帯型の地上デジタルテレビジョン受信機を視聴しながら移動した場合、受信電界強度が低下してエラー訂正能力限界を超えると地上デジタルテレビジョン放送受信が不可能になる。【解決手段】携帯電話網と通信する携帯電話網通信手段１０１と、地上デジタルテレビジョン放送を受信する地上デジタルＴＶ受信手段１０２と、それぞれの信号の遅延処理を行う通信信号遅延手段６０３および受信信号遅延手段６０４と、それぞれの信号を切り換える映像切替手段１０５および音声切替手段１０６とを備え、地上デジタルテレビジョン放送受信でのエラー発生レベルを常に監視し、受信電界強度が低下してエラー訂正限界になる直前に携帯電話網を用いてＩＰネットワーク網に接続し、ＩＰ再送信コンテンツを受信して映像や音声の出力を切り換えることで、受信電界強度が低下してもシームレスに地上デジタルテレビジョン放送視聴を可能とする。【選択図】図６
2007158492.tif 000002
【特許請求の範囲】
【請求項１】
地上デジタルテレビジョン放送の電波を受信する地上デジタルＴＶ受信手段と、携帯電話通信網との通信を行うことで音声通話およびインターネットへのＩＰ接続を行う携帯電話網通信手段と、前記地上デジタルＴＶ受信手段が復調した映像信号と前記携帯電話網通信手段が復調した映像信号の内一方を切替えて出力する映像切替手段と、前記地上デジタルＴＶ受信手段が復調した音声信号と前記携帯電話網通信手段が復調した音声信号の内一方を切替えて出力する音声切替手段と、前記地上デジタルＴＶ受信手段または前記携帯電話網通信手段からの情報に基づいて映像表示および音声出力の切替指示を出す制御手段と、映像信号を表示媒体に表示する映像表示手段と、音声信号を再生する音声再生手段とを備え、前記地上デジタルＴＶ受信手段からの受信信号と前記携帯電話網通信手段からの通信信号を適宜切り換えて映像および音声を再生することを特徴とする地上デジタルテレビジョン受信機。
【請求項２】
前記制御手段は、前記地上デジタルＴＶ受信手段からのデジタル信号復調時のデコードエラーの発生率を用いて映像信号および音声信号を切り換えるための切替信号を出力することを特徴とする請求項１に記載の地上デジタルテレビジョン受信機。
【請求項３】
前記制御手段は、前記地上デジタルＴＶ受信手段からの受信Ｃ／Ｎ比を用いて映像信号および音声信号を切り換えるための切替信号を出力することを特徴とする請求項１に記載の地上デジタルテレビジョン受信機。
【請求項４】
前記制御手段は、前記携帯電話網通信手段からのＧＰＳ位置情報を用いて映像および音声信号を切り換えるための切替信号を出力することを特徴とする請求項１に記載の地上デジタルテレビジョン受信機。
【請求項５】
前記制御手段は、前記地上デジタルＴＶ受信手段または前記携帯電話網通信手段からの情報を用いて地上デジタルテレビジョン放送受信の状態が悪化することを事前に予測し、前記携帯電話網通信手段からの信号に切り換える前にあらかじめ通信準備を開始することを特徴とする請求項１に記載の地上デジタルテレビジョン受信機。
【請求項６】
請求項１乃至５に記載の地上デジタルテレビジョン受信機であって、前記制御手段がさらに前記地上デジタルＴＶ受信手段からの受信信号と前記携帯電話網通信手段からの通信信号のそれぞれの位相差から遅延制御量を算出し遅延指令を出すものであり、加えて、前記地上デジタルＴＶ受信手段からの受信信号を遅延させる受信信号遅延手段と、前記携帯電話網通信手段からの通信信号を遅延させる通信信号遅延手段とを備えたことを特徴とする地上デジタルテレビジョン受信機。
【請求項７】
前記制御手段は、前記地上デジタルＴＶ受信手段からの受信信号と前記携帯電話網通信手段からの通信信号との時間的な位相差を検出し、両信号が同位相になるように、受信信号遅延手段および通信信号遅延手段にそれぞれ遅延制御信号を出力することを特徴とする請求項６に記載の地上デジタルテレビジョン受信機。
【発明の詳細な説明】
【技術分野】
【０００１】
本発明は、地上デジタルテレビジョン放送を受信して視聴することが可能な地上デジタルテレビジョン受信機に関するものである。
【背景技術】
【０００２】
近年、各種テレビジョン放送は高画質、多チャンネル、データ放送による高付加価値というメリットを持つデジタル放送へと移行しつつある。地上テレビジョン放送においても、２００３年から三大広域圏で本放送を開始し、現在全国展開を行っている。この地上デジタルテレビジョン放送は移動体端末や携帯端末でも良好な受信ができるという特徴があり、視聴可能エリアは順次拡大しつつある。また携帯端末向け地上デジタルテレビジョン受信機能については、現在携帯電話事業者と端末メーカーが鋭意開発中であり、近年中に実現される見込みである。
【０００３】
従来のアナログテレビジョン放送受信機は、受信しながら移動すると、受信環境が変化することによる受信電波状況の変化により受信状態がその都度変化し、視聴画面もそれに応じて乱れてしまうという欠点を有していた。つまり受信端末の移動により電波状態が徐々に悪くなると、視聴画面の品質も徐々に悪くなり、視聴困難となってしまう。
【０００４】
このときの受信品質特性を図２に示す。この図のアナログＴＶ受信と示しているグラフは地上アナログテレビジョン放送受信時の、受信電界強度が変化したときの受信品質の特性を示している。このグラフは、地上アナログテレビジョン受信において受信電界強度があるレベルを下回った場合、受信品質が受信電界強度の低下に比例して悪化する特性を有することを意味している。
【０００５】
一方、地上デジタルテレビジョン放送の受信特性については、図２のデジタルＴＶ受信のグラフが示すように、受信電界強度がかなり弱くなっても、受信品質はほぼ一定を保っている。これはデジタル処理特有のエラー訂正能力によって、受信電界強度が落ちた時に発生するエラーを訂正することで、本来画面上にノイズとなって現れるエラーを排除することができるためである。但し、受信電界強度の低下がこのエラー訂正能力の限界を超えた場合、急激な受信品質低下を伴い、その受信品質レベルは地上アナログテレビジョン受信時よりも劣化してしまう。
【０００６】
このようなテレビジョン放送の受信状態が悪化した場合の対応策としての従来技術の一例について図面を参照しながら説明を行う。
【０００７】
図７は第１の従来技術のブロック構成図である。アンテナ７１０からの受信電波を分配器７１１で二つに分配し、アナログＴＶ受信機７０１とデジタルＴＶ受信機７０２に供給する。この両方の受信機から出力された映像信号と音声信号は映像切替スイッチ７０４と音声切替スイッチ７０３によりどちらか一つに切り換えられ、それぞれディスプレイ７０８とスピーカ７０７によって映像と音声に再生される。この切替スイッチは切り換え制御部７０６で切り換える。
【０００８】
通常はデジタルＴＶ受信機７０２で受信したテレビ番組を視聴し、デジタルＴＶ受信機７０２の受信状態が悪くなるとデジタル復調部からのパケットエラーが増加する。あらかじめ設定された値よりもエラー値が大きくなると切り換え制御部７０６が音声切替スイッチ７０３と映像切替スイッチ７０４をアナログＴＶ側に切り換えて、アナログＴＶ受信機７０１で受信したテレビ番組を視聴できるようにする。このとき、デジタルＴＶ受信機７０２で視聴していたテレビ番組内容と同一の内容の番組（サイマル放送番組）をアナログＴＶ受信機７０１のチャンネル設定部に設定する必要がある。そこで、デジタルＴＶ受信機７０２からのＥＰＧ（電子番組）情報をチャンネル設定部７０５に入力し、デジタルＴＶ放送と同一番組のアナログＴＶチャンネルをＥＰＧのアナログＴＶ番組情報から探し出し、アナログＴＶ受信機７０１にその情報を出力する。
【０００９】
以上のような構成により、デジタル放送の受信状態が悪化したらアナログ放送受信へ受信内容を自動的に切り換えることを可能とする（例えば特許文献１を参照）。
【００１０】
一方、図８は第２の従来技術のブロック構成図であり、アンテナ８２２で受信したテレビ放送電波をチューナ／復調部８１１で復調し、最終的にテレビ受信機表示部８１７に表示するテレビ受信機部８０１と、アンテナ８４９で受信した携帯電話通信信号を無線送受信回路部で受信し、その端末が存在する地域の情報を基地局データ格納手段８３９、地域コード変換手段８４０、変換データ取得手段８４８などにより取得する携帯電話部８０３から構成される。
【００１１】
以上のような構成により、テレビ番組を視聴中に移動することで放送局のサービスエリアを外れてしまい視聴困難になった場合でも、携帯電話で最後に通話した際に基地局から入手した地域情報を基に同系列局のチャンネルを選局することで、移動しながらでも同一番組の連続視聴を可能とする（例えば特許文献２を参照）。
【００１２】
また、図９は第３の従来技術のブロック構成図であり、放送局９１０からのテレビ放送電波を補完視聴サービスサーバ９２０で受信し、補完視聴サービス用コンテンツを作成して蓄積する。ユーザは携帯端末９５０でテレビ放送を視聴中に何らかの要因で視聴が困難になった場合、携帯端末９５０から無線基地局９４０と電話公衆網９３０を介して補完視聴サービスサーバ９２０に補完視聴サービス用コンテンツの配信要求を送る。配信要求を受けた補完視聴サービスサーバ９２０は要求された補完視聴サービス用コンテンツを同じく電話公衆網９３０と無線基地局９４０を介して携帯端末９５０に送信する。
【００１３】
以上のような構成により、テレビ視聴が困難になった場合でも、補完視聴サービス用コンテンツを入手、再生することにより、視聴不可能になった場面の続きの番組内容を視聴することを可能とする（例えば特許文献３を参照）。
【特許文献１】特開２０００−３３２６３２号公報
【特許文献２】特開２００４−１５３３９９号公報
【特許文献３】特開２００４−３４９９３２号公報
【発明の開示】
【発明が解決しようとする課題】
【００１４】
しかしながら、上記のような従来技術に係る構成では、次に述べるような課題が生じる。
【００１５】
まず、第１の従来技術では、デジタル放送が視聴不可能になった際にアナログ放送に切り換えることで番組の視聴は可能になるが、デジタル放送が視聴できないくらい電波状態が悪い場合には、アナログ放送も同様に電波状態が悪い場合が多く、たとえアナログ放送に切り換えたとしても視聴に耐えうる受信品質が得られない場合がある。
【００１６】
また、第２の従来技術では、受信状態が悪化したために視聴中のデジタル放送の番組が視聴不可能になった場合には、たとえ他の送信所の電波が受信できたとしても、同様に非常に受信状態が悪い可能性があり、その場合は他のチャンネルに切り換えても視聴継続は困難である。また地域によっては同一放送事業者系列の番組を複数のチャンネルで送信していない場合があるので、その場合には受信チャンネル切り換えによる視聴継続は不可能である。
【００１７】
また、第３の従来技術では、前述したような補完視聴コンテンツ提供サービスの事業自体がない場合にはこの技術を用いた視聴継続は不可能であり、また仮に同様のサービスがあったとしてもデータダウンロードの間は視聴ができないため、リアルタイムの視聴継続は困難である。また提供されるコンテンツデータは、リアルタイムのテレビ放送に追いつくためにビデオストリームの画面を間引きした高速再生ファイル、もしくは重要なシーンだけを要約したダイジェストファイルのどちらかに限られるため、番組内容をすべて完全に視聴することができない。またダウンロード時間を短縮するためにはコンテンツ容量を削減する必要があるが、そのためには映像の圧縮および伸長の変換ビットレートを落とさなければならず、結果的に再生画像の品質劣化を伴うことになる。
【００１８】
本発明は、係る場合であっても、連続的なテレビジョン放送番組の視聴を可能とすることを目的とするものである。
【課題を解決するための手段】
【００１９】
上記課題を解決するために、本発明の地上デジタルテレビジョン受信機は、地上デジタルテレビジョン放送の電波を受信する地上デジタルＴＶ受信手段と、携帯電話通信網との通信を行うことで音声通話およびインターネットへのＩＰ接続を行う携帯電話網通信手段と、前記地上デジタルＴＶ受信手段が復調した映像信号と前記携帯電話網通信手段が復調した映像信号の内一方を切替えて出力する映像切替手段と、前記地上デジタルＴＶ受信手段が復調した音声信号と前記携帯電話網通信手段が復調した音声信号の内一方を切替えて出力する音声切替手段と、前記地上デジタルＴＶ受信手段または前記携帯電話網通信手段からの情報に基づいて映像表示および音声出力の切替指示を出す制御手段と、映像信号を表示媒体に表示する映像表示手段と、音声信号を再生する音声再生手段とを備え、前記地上デジタルＴＶ受信手段からの受信信号と前記携帯電話網通信手段からの通信信号を適宜切り換えて映像および音声を再生することを特徴とするものである。
【発明の効果】
【００２０】
本発明の地上デジタルテレビジョン受信機によれば、携帯端末で地上デジタルテレビジョン放送の番組を視聴中に電波状態の悪化により視聴困難になった場合でも、地上デジタルテレビジョン放送と同一の番組のＩＰ再送信を使用して、地上デジタルテレビジョン受信による番組視聴からＩＰネットワークでの通信による番組視聴にシームレスに切り換えることが可能である。
【発明を実施するための最良の形態】
【００２１】
以下、本発明の地上デジタルテレビジョン受信機の実施形態の一例について、図面を参照しながら説明する。
【００２２】
（実施の形態１）
図１は本発明の実施の形態１における地上デジタルテレビジョン受信機の構成を示すブロック図である。以下、本実施の形態１において、本発明の構成と動作を具体的に説明する。
【００２３】
図１において、携帯電話網通信手段１０１は、携帯電話事業者装置１１４との通信を行うことにより音声通話を行う。また携帯電話事業者装置１１４を介してＩＰネットワーク網１１５に接続し、地上デジタルテレビジョン放送のＩＰ再送信データを取得して、復調処理を行った後で映像信号と音声信号の形式にして出力する。
【００２４】
また、このデータ通信機能は、インターネット上のＥＰＧデータ（ｉＥＰＧ）を取得するためにも用いる。またＧＰＳアンテナ１１２を用いて現在位置を計測し、その情報を制御手段１０９に出力する。
【００２５】
地上デジタルＴＶ受信手段１０２は、地上デジタルテレビジョン放送の放送局１１３から送信される地上デジタルテレビジョン放送電波を受信アンテナ１１１を用いて受信し、復調処理を行った後で映像信号と音声信号の形式にして出力する。また受信状態を常に監視し、その情報を出力する。
【００２６】
映像切替手段１０５は、携帯電話網通信手段１０１からの映像信号と地上デジタルＴＶ受信手段１０２からの映像信号を、制御手段１０９からの切替制御信号を用いて切り換え、どちらか一方を出力する。音声切替手段１０６は、携帯電話網通信手段１０１からの音声信号と地上デジタルＴＶ受信手段１０２からの音声信号を、制御手段１０９からの切替制御信号を用いて切り換え、どちらか一方を出力する。
【００２７】
映像表示手段１０７は、映像切替手段１０５からの映像信号を、携帯端末に装備された表示パネルなどに表示する。音声再生手段１０８は、音声切替手段１０６からの音声信号を、スピーカなどの出力装置を用いて可聴音声として出力する。
【００２８】
制御手段１０９は、地上デジタルＴＶ受信手段１０２からの受信状態情報を基に、映像切替手段１０５と音声切替手段１０６の切替内容を制御し、切替制御信号を出力する。また、切り換える前に携帯電話網通信手段１０１に対してＩＰネットワーク網１１５を介したテレビ放送局１１３への接続要求とＩＰ再送信データの受信要求、ならびに受信データの復調要求を出力する。
【００２９】
以上のように構成された地上デジタルテレビジョン受信機について、その動作を説明する。
【００３０】
地上デジタルテレビジョン放送局１１３からの地上デジタルテレビジョン放送電波を受信アンテナ１１１を経由して地上デジタルＴＶ受信手段１０２で受信し、映像表示手段１０７で映像の表示を行い、音声再生手段１０８で音声の再生を行うことで地上デジタルテレビジョン放送の番組を視聴している場合、テレビ放送電波の強さを表す受信電界強度が十分に強い場合には良好なテレビジョン受信が可能である。だが受信電界強度が悪くなった場合、従来のアナログテレビジョン受信機だと受信状態が悪化し、再生する映像や音声の品質が低下する。
【００３１】
しかし地上デジタルテレビジョン受信機ではデジタル信号処理によるエラー訂正能力によって、受信状態が悪化したことにより発生するエラーを自ら訂正することで図２に示すように受信品質を最良の状態に保つことが可能である。そしてそのエラーの量がエラー訂正能力の限界を超えた際に、地上デジタルテレビジョン受信機はテレビジョン受信が不可能となる。
【００３２】
そこで、図５に示すように、視聴位置の変化などで受信電界強度が徐々に低下し、Ｓ１で示すレベルに達した際、制御手段１０９は携帯電話網通信手段１０１を用いて携帯電話事業者装置１１４との携帯電話網通信を行い、ＩＰネットワーク網１１５に接続する。これによりＩＰネットワーク網上に存在する様々なサーバとの接続ならびにデータ通信が可能となる。
【００３３】
ＩＰネットワーク網１１５には地上デジタルテレビジョン放送局１１３が接続されている。地上デジタルテレビジョン放送は放送と通信の融合という観点から、そのコンテンツをＩＰネットワーク網に再送信しており、本発明においては、各テレビジョン放送事業者がこのＩＰ再送信サービスを実施していることを想定している。
【００３４】
携帯電話網通信手段１０１は携帯電話網とＩＰネットワーク網に接続してこのテレビジョン放送事業者と接続し、現在受信している地上デジタルテレビジョン放送の番組内容と同一のコンテンツを受信する準備を開始し、コンテンツを受信し始める。そして受信電界強度が更に低下して、エラー訂正能力限界の直前である図５のＳ２のレベルに達した場合、制御手段１０９は現在視聴している映像と音声を地上デジタルテレビジョン放送受信の内容からＩＰ受信の内容に切り換えるために、映像切替手段１０５と音声切替手段１０６に切替信号を出力し、映像と音声をＩＰ受信側、すなわち携帯電話網通信手段１０１からの受信内容に切り換える。
【００３５】
これにより受信電界強度がＳ２のレベルに達した時点で、映像表示手段１０７と音声再生手段１０８からは地上デジタルテレビジョン放送受信の番組内容からＩＰ受信の番組内容に切り替わる。出力が切り替わった後も地上デジタルＴＶ受信手段１０２は地上デジタルテレビジョン放送受信を継続するが、受信電界強度が更に低下してＳ３のレベル、すなわちエラー訂正能力限界を超えると、地上デジタルＴＶ受信手段１０２での地上デジタルテレビジョン放送受信は不可能となる。それでも地上デジタルＴＶ受信手段１０２は地上デジタルテレビジョン放送電波の受信を継続する。
【００３６】
このように、Ｓ１、Ｓ２という異なる閾値でもって、ＩＰ受信の準備、開始、切り替えを行うことで、受信状態の悪化を予測して動作することとなり、途切れることのない受信の切り替えを行うことができる。
【００３７】
次に視聴位置の変化に伴い受信電界強度が回復していく場合であるが、受信電界強度が徐々に高くなり、Ｓ２のレベルを超える時点では発生したエラーはエラー訂正機能で全て訂正でき、地上デジタルテレビジョン放送を良好に受信、視聴することができる。そこで制御手段１０９は現在視聴している映像と音声をＩＰ受信の内容から地上デジタルテレビジョン放送受信の内容に切り換えるために、映像切替手段１０５と音声切替手段１０６に切替信号を出力し、映像と音声を地上デジタルテレビジョン放送受信側、すなわち地上デジタルＴＶ受信手段１０２からの受信内容に切り換える。
【００３８】
これにより受信電界強度が高くなってＳ２のレベルに達した時点で、映像表示手段１０７と音声再生手段１０８からはＩＰ受信の番組内容から地上デジタルテレビジョン放送受信の番組内容に切り替わる。その後、更に受信電界強度が高くなってＳ４のレベルに達した際には、受信電界強度も地上デジタルテレビジョン放送受信には必要十分な強度であるため、ＩＰ受信は不要と判断し、ＩＰ接続を終了する。
【００３９】
本発明の地上デジタルテレビジョン受信機は、受信状態が悪くなることで地上デジタルテレビジョン放送受信が困難になった場合でも、以上のような構成と動作により、携帯電話網を使ってＩＰ再送信サービスを利用することで、途切れることのないテレビジョン視聴を行うことができる地上デジタルテレビジョン受信機を提供することが出来る。
【００４０】
なお、本発明においては、受信電界強度が低い場合に発生する判断のためのエラーとしてデコードエラーを用いる。地上デジタルテレビジョン放送を含むデジタルテレビジョン放送は映像や音声、データなどをＭＰＥＧと呼ばれるデジタル圧縮／伸長アルゴリズムを用いて符号化することでデータ量を圧縮してから放送している。受信機ではこの圧縮されたデータをデコーダと呼ばれる復号器で復号して元のデータに戻してからテレビジョン受信処理に用いる。もし受信電界強度が低い場合、アンテナから得られたテレビジョン放送電波の電界強度が低く、全体的にノイズ混じりの受信電波となってしまう。これを用いて前述したデコード処理を行うと、ノイズ成分の影響を受けてデコード処理が正しく行われず、デコードエラーが発生してしまう。本実施の形態では図３で示すようにこのデコードエラーを用いて受信電界強度の強弱を間接的に判定することによって、切り換えのタイミングをより適切に行える。
【００４１】
また、上記デコードエラー以外にも、受信Ｃ／Ｎ比を用いて受信電界強度の判定を行うことも可能である。受信Ｃ／Ｎ比とはアンテナからの信号の強度（Ｃａｒｒｉｅｒ）と総合雑音電力（Ｎｏｉｓｅ）の比を示したものであり、数値が大きければ良好な受信が可能であることを示す。本実施の形態では図４で示すように、この受信Ｃ／Ｎ比を用いて受信電界強度の強弱を間接的に判定することが可能である。
【００４２】
あるいは、携帯電話網通信手段１０１からのＧＰＳ位置情報を用いて、制御手段１０９が映像および音声信号を切り換えるための切替信号を出力することも可能である。係る場合、予め受信する放送局の受信可能な担当エリア情報を記憶しておき、ＧＰＳ位置情報と適時比較することで、地上デジタルテレビジョン放送が受信できなくなることを予測できる。受信可能な担当エリアの境界に対して一定の閾知を超えた場合にＩＰ受信を開始し、受信可能な担当エリアの境界を超えた場合に地上デジタルテレビジョン放送からＩＰ受信に切替えればよい。当然、逆の場合はＩＰ受信から地上デジタルテレビジョン放送受信に切替えることとなる。
【００４３】
（実施の形態２）
以下、本実施の形態２において、本発明の構成と動作を具体的に説明する。本実施の形態に係る構成は図６に示し、本実施の形態において実施の形態１と同一の構成要素には同一の番号を付し、その説明は適宜省略するものとする。
【００４４】
実施の形態１で説明したように、受信電界強度の強弱に応じて、地上デジタルテレビジョン放送受信とＩＰ再送信受信とを切り換えて映像や音声を出力することで、途切れることのないテレビジョン視聴を行うことができるが、地上デジタルテレビジョン放送受信とＩＰ再送信受信とではそれぞれの信号送出タイミングが一致していない場合には両者の時間的位相が異なる場合がある。このような状態で映像や音声を切り換えると、連続的に切り替わらずに映像や音声が切り替わりの瞬間に乱れ受信品位の低下を招くことがある。
【００４５】
そこで、本実施の形態２では、図６に示すように、携帯電話網通信手段１０１および地上デジタルＴＶ受信手段１０２と、映像切替手段１０５および音声切替手段１０６との間に通信信号遅延手段６０３と受信信号遅延手段６０４を設けている。
【００４６】
通信信号遅延手段６０３は、携帯電話網通信手段１０１からの映像信号と音声信号を、制御手段６０９から指示された時間分だけ遅延させて出力するものである。また、受信信号遅延手段６０４は、地上デジタルＴＶ受信手段１０２からの映像信号と音声信号を、制御手段６０９から指示された時間分だけ遅延させて出力するものである。
【００４７】
なお、制御手段６０９は、上記実施の形態１に記載の機能の加え、通信信号遅延手段６０３と受信信号遅延手段６０４に対して、それぞれ遅延要求を出力する。
【００４８】
携帯電話網通信手段１０１および地上デジタルＴＶ受信手段１０２から出力される通信信号および受信信号は一般的なテレビジョン受信機で用いる信号形式になっているため、画面表示の際に位置合わせを行うための基準となる水平同期信号および垂直同期信号を含んでいる。
【００４９】
そこで、制御手段６０９は携帯電話網通信手段１０１および地上デジタルＴＶ受信手段１０２から得た信号の中から水平同期信号および垂直同期信号の成分を抽出し、それぞれの同期信号の位相を比較して、どちらの信号がどのくらい遅延しているのかを判定する。
【００５０】
そして、時間的に先行している方の信号を遅延させて遅れている信号に位相を合わせるために、時間的に先行している方の信号の遅延手段に対して、遅延指令と遅延情報を出力する。この指示を受けた遅延手段は指定された量の時間的遅延処理を通信信号もしくは受信信号に施す。通信信号遅延手段６０３と受信信号遅延手段６０４から出力される信号は時間的位相が一致した信号となる。
【００５１】
なお、その他の構成、機能、動作については上記の実施の形態１と同様であるので、ここでは説明を省略する。
【００５２】
以上のように構成した本発明の地上デジタルテレビジョン受信機は、両信号の位相を遅延手段を用いて合わせることで、映像切替手段および音声切替手段で切り換えたとしても、切替の瞬間で映像や音声がほとんど乱れず、より確実にシームレスな切替が可能な地上デジタルテレビジョン受信機を提供することが出来る。
【００５３】
なお、本実施の形態において、携帯電話網通信手段１０１からの通信信号と地上デジタルＴＶ受信手段１０２からの受信信号の両者の時間的位相差を検出するために水平同期信号と垂直同期信号の成分を用いると説明したが、これは地上デジタルテレビジョン放送信号に含まれるＰＣＲ（Ｐｒｏｇｒａｍ  Ｃｌｏｃｋ  Ｒｅｆｅｒｅｎｃｅ）と、ＩＰ再送信信号に含まれるタイムスタンプ情報、もしくはそれと同様な時間情報を用いて時間的位相差を検出したとしても同様の効果が得られる。
【産業上の利用可能性】
【００５４】
本発明の地上デジタルテレビジョン受信機は、受信状態が悪化して地上デジタルテレビジョン放送の受信が困難になった場合でも、携帯電話網の通信手段を用いてＩＰ再送信コンテンツを受信することでシームレスに視聴を継続することが可能な地上デジタルテレビジョン受信機に関するものである。
【図面の簡単な説明】
【００５５】
【図１】本発明の実施の形態１に係る地上デジタルテレビジョン受信機の構成を示すブロック図
【図２】本発明の実施の形態に係る受信電界強度と受信品質の関係を示すグラフ
【図３】本発明の実施の形態に係るデコードエラーと受信品質の関係を示すグラフ
【図４】本発明の実施の形態に係る受信Ｃ／Ｎ比と受信品質の関係を示すグラフ
【図５】本発明の実施の形態に係る受信電界強度と各受信処理を示す図
【図６】本発明の実施の形態２に係る地上デジタルテレビジョン受信機の構成を示すブロック図
【図７】第１の従来技術に係る構成を示すブロック図
【図８】第２の従来技術に係る構成を示すブロック図
【図９】第３の従来技術に係る構成を示すブロック図
【符号の説明】
【００５６】
１０１    携帯電話網通信手段
１０２    地上デジタルＴＶ受信手段
１０５    映像切替手段
１０６    音声切替手段
１０７    映像表示手段
１０８    音声再生手段
１０９    制御手段
１１０    通信用アンテナ
１１１    受信アンテナ
１１２    ＧＰＳアンテナ
１１３    地上デジタルテレビジョン放送局
１１４    携帯電話事業者装置
１１５    ＩＰネットワーク網
６０３    通信信号遅延手段
６０４    受信信号遅延手段
６０９    制御手段
【図１】
2007158492.tif 000003
【図２】
2007158492.tif 000004
【図３】
2007158492.tif 000005
【図４】
2007158492.tif 000006
【図５】
2007158492.tif 000007
【図６】
2007158492.tif 000008
【図７】
2007158492.tif 000009
【図８】
2007158492.tif 000010
【図９】
2007158492.tif 000011